(57)【特許請求の範囲】
【請求項１】
相手側端末より送信された文字情報の受信機能を備え、着信時に直ちにその内容が表示部に表示される電話機における受信文字の表示方法において、
前記相手側端末より送信された文字情報を受信すると、この文字情報を送信した前記相手側端末の電話番号又は相手の名前を外部に表示しないシークレット設定がされているか否かを調べ、
前記相手側端末がシークレット設定されている場合にはあらかじめ決められた所定のキー操作が入力されてから前記受信した文字情報を表示することを特徴とする電話機における受信文字の表示方法。
【請求項２】
請求項１に記載の受信文字の表示方法において、前記相手側端末より送信された文字情報を受信したときに、文字情報を受信時に表示する受信時表示モードが設定されていた場合には、前記シークレット設定の有無に関係無く前記受信した文字情報を表示することを特徴とする電話機における受信文字の表示方法。
【請求項３】
請求項１に記載の受信文字の表示方法において、前記相手側端末より送信された文字情報を受信したときに、文字情報を受信時に非表示にする受信時非表示モードが設定され、かつ前記相手側端末の電話番号を外部に表示しないシークレット設定がされていると、受信した文字情報を非表示にすることを特徴とする電話機における受信文字の表示方法。
【請求項４】
請求項３に記載の受信文字の表示方法において、前記受信した文字を非表示にしている状態で、あらかじめ決められた所定のキー操作が行われると、前記文字情報を表示することを特徴とする電話機における受信文字の表示方法。
【請求項５】
請求項４に記載の受信文字の表示方法において、前記あらかじめ決められた所定のキー操作は発信または応答を行う通話キー以外のキー操作であることを特徴とする電話機における受信文字の表示方法。
【請求項６】
請求項４に記載の受信文字の表示方法において、前記あらかじめ決められた所定のキー操作は着信履歴を表示するキー操作であることを特徴とする電話機における受信文字の表示方法。
【請求項７】
請求項４に記載の受信文字の表示方法において、前記あらかじめ決められた所定のキー操作は使用者により設定された暗唱番号のキー操作であることを特徴とする電話機における受信文字の表示方法。
【請求項８】
請求項１に記載の受信文字の表示方法において、前記相手側端末の電話番号を外部に表示しないシークレット設定は、この電話番号を当該電話機の電子電話帳機能にシークレット登録したときに有効になることを特徴とする電話機における受信文字の表示方法。
【発明の詳細な説明】
【０００１】
【発明の属する技術分野】
本発明は電話機、より具体的には文字伝送可能な電話機における受信文字の表示方法に関する。
【０００２】
【従来の技術】
ＩＳＤＮ網において、発呼者側端末が被呼者側端末の電話番号を示す選択信号を交換網に対して送出する呼接続要求を行う際、発呼者側端末は電話番号に続けてサブアドレス情報を被呼者側端末に送信することができる。ＩＳＤＮ網ではこのようなサブアドレス情報を送信することで、例えば被呼者側端末の電話番号に複数の電話機がバス配線接続された場合でも、特定の電話機を呼び出すことを可能としている。
【０００３】
一方、近年、このようなサブアドレス情報の利用用途が広がり、特定の電話機を呼び出すのではなく、サブアドレス情報を利用して文字情報等を被呼者側端末に送る文字伝送機能を備えた電話機システムの研究開発が行われている。具体的には、例えば特開平６−３３４７７６号公報または特開平３−３８９４６号公報には、ＩＳＤＮからの着呼情報を受信すると、この着呼情報に含まれるサブアドレス情報を検出・解析し、このサブアドレス情報に対応する文字をＬＣＤ等の表示部に表示する従来技術が開示されている。
【０００４】
また、例えばＩＳＤＮ網を利用したパーソナル・ハンディホン・システム（以後ＰＨＳと称す）では、このようなサブアドレス情報を利用した文字伝送機能により、被呼者側端末が応答することなく文字情報の送信や表示を可能としている。このような「非音声通信」サービスにも対応することで、ＰＨＳ端末を文字メッセージの伝送、管理、表示が可能なポケットベルとして利用できるようにし、その他にもＤＴＭＦ信号を用いた文字メッセージの伝達を行う文字メール機能により、利用者の多様なニーズに対応できるようにしている。
【０００５】
【発明が解決しようとする課題】
例えば、電話番号とその持ち主の名前等を登録する電子電話帳等でも、他人に知られたくない電話番号又は相手の名前に関しては、本人以外見ることができないシークレット登録を行うことが可能である。しかしながら上述した従来技術における文字メール機能では、着信時に直ちにその内容が表示部に表示されていしまうため、持ち主以外の誰にでも受信した文字メッセージの内容を見ることができるという欠点があった。
【０００６】
電子電話帳にシークレット登録をしている電話機からの文字メッセージは、ほとんどの場合、本人以外には見られたくないものだが、従来技術では文字メッセージの表示に関して全くこのようなことを考慮した仕様にはなっていなかった。
【０００７】
このように従来技術における文字メール機能は、ユーザのニーズに合致したものでは無く、これを利用してメッセージの送受信を安心して行うことはできなかった。
【０００８】
本発明はこのような従来技術の課題を解決し、文字メールの表示に対してセキュリティを行うことが可能な電話機における受信文字の表示方法を提供することを目的とする。
【０００９】
【課題を解決するための手段】
本発明は上述の課題を解決するために、相手側端末より送信された文字情報の受信機能を備え、着信時に直ちにその内容が表示部に表示される電話機における受信文字の表示方法において、相手側端末より送信された文字情報を受信すると、この文字情報を送信した相手側端末の電話番号又は相手の名前を外部に表示しないシークレット設定がされているか否かを調べる。そして、相手側端末がシークレット設定されている場合にはあらかじめ決められた所定のキー操作が入力されてから受信した文字情報を表示する。
【００１１】
【発明の実施の形態】
次に添付図面を参照して本発明による電話機の実施の形態を詳細に説明する。
【００１２】
なお、本実施の形態による電話機は、電話番号を登録する電子電話帳機能を備え、また登録した電話番号に対して他人に見られないようにシークレット（セキュリティ）をかけることができる。さらに、文字メッセージを送受信でき、受信した文字メッセージを表示部に表示する文字メール機能を備えている。なお、このような電子電話帳機能や文字メール機能は公知技術なので、これら機能の詳細な説明はここでは行わない。
【００１３】
図２は本発明による移動体通信端末をＰＨＳ端末１０に適用したときの実施の形態を示す機能ブロック図である。アンテナ１２は、無線リンクにより接続された基地局（図示せず）とデータのやりとりを行うために、電波の輻射あるいは受信を行う。このアンテナ１２にはＲＦ部１４が接続されている。
【００１４】
ＲＦ部１４は、アンテナ１２で受信した信号を増幅および周波数変換してベースバンド部１６に復調用信号を出力するＲＦ受信回路と、ベースバンド部１６からの音声変調信号を増幅および周波数変換してアンテナ１２に出力する送信回路とにより構成されている。
【００１５】
ベースバンド部１６はＣＰＵ１８およびコーデック２８に接続され、このＣＰＵ１８の制御により音声信号や発呼者端末の電話番号を含むアンテナ１２から受信したＲＦ信号の復調を行う。ベースバンド部１６はまた、電源がオン状態の待ち受け処理時に基地局から送信された制御チャネルをバッテリーセービング周期で受信すると、その情報をＣＰＵ１８に通知する。
【００１６】
コーデック２８は、デジタル信号をアナログ信号に、またアナログ信号をデジタル信号に変換する変換器である。すなわち、コーデック２８は、ＣＰＵ１８の制御により、ベースバンド部１６やＣＰＵ１８から入力したデジタル音声信号をアナログ信号に変換してスピーカ（ＳＰ）２６に出力するとともに、マイク（ＭＩＣ）２４より入力したアナログ音声信号をデジタル音声信号に変換してベースバンド部１６に出力する。
【００１７】
コーデック２８はまた、ＤＴＭＦレシーバ３０に接続され、ベースバンド部１６から入力したデジタル信号をアナログ信号に変換してＤＴＭＦレシーバ３０に出力する。ＤＴＭＦレシーバ３０は、コーデック２８から入力した信号が例えば文字情報等のＤＴＭＦ信号の場合に、その内容をＣＰＵ１８に出力する。
【００１８】
ＣＰＵ１８は、通信端末全体を制御する制御部であり、その内部に呼処理等のプログラムが書き込まれた不揮発性メモリであるＲＯＭ１８ａと、揮発メモリであるＲＡＭ１８ｂとが内蔵されている。ＣＰＵ１８は、呼処理の他にセキュリティ機能の付いた電子電話帳機能の処理と、文字メール機能の処理を実行する。ＣＰＵ１８は、例えばＲＯＭ１８ａのプログラムを実行するときにＲＡＭ１８ｂをワークエリアとして使用する。
【００１９】
ＣＰＵ１８はまた、電子電話帳への登録処理が行われた電話番号や文字等をＲＡＭ１８ｂに記憶したり、また送受信する文字メッセージをＲＡＭ１８ｂに一時的に記憶する。ＣＰＵ１８はさらに、待ち受け処理を行う基地局として選択した基地局の識別情報などを含む種々の情報をＲＡＭ１８ｂに一時的に格納する。なお、図２では電子電話帳への登録内容や文字メッセージをＲＡＭ１８ｂに記憶するとしたが、例えば外付けのＲＡＭに記憶したり、またＥ２  ＰＲＯＭのような記憶可能な不揮発性メモリに記憶するようにしてもよい。
【００２０】
ＣＰＵ１８にはまた、表示部２０、キー入力部２２が接続されている。表示部２０は、キー入力部２２で入力された電話番号、基地局を介して受信した発呼者端末の電話番号、発呼者端末の電話番号に対応して登録された名前等の文字、または文字メールとして送信または受信した文字情報等を表示する。なお、ＣＰＵ１８は、電子電話帳にシークレット登録している電話番号の端末より文字メッセージを受信した場合、文字メッセージのシークレット保護（「受信時非表示」）が設定されているか否かで、文字メッセージを直接表示部２０に表示するかどうかを決定する。
【００２１】
図１は本実施の形態による文字メッセージの表示処理の概要を示す動作フローである。以下、同図を用いて本実施の形態の動作を説明する。なお、同図では電子電話帳にシークレット登録している電話番号の端末より文字メッセージを受信した場合が図示されており、それ以外の電話番号の端末より文字メッセージを受信した場合には表示部２０にメッセージの内容が表示される。
【００２２】
ＰＨＳ端末１０は文字メッセージを受信すると、ＣＰＵ１８によりこのメッセージを送信した端末が電子電話帳にシークレット登録された端末かどうかを確認する。その結果、シークレット登録してある端末（相手）からの文字受信であれば（１００）、「受信時表示」に設定されているか、または表示シークレットがオンである「受信時非表示」に設定されているかを確認する。このとき「受信時表示」に設定されている場合（１０２）、シークレット登録してある端末からでも受信した文字メッセージの内容を表示部２０に表示する（１０４）。
【００２３】
一方、「受信時非表示」に設定されている場合（１０６）、文字メールを受信したことは表示部２０に表示されるがその内容は表示されない（１０８）。図３は「受信時非表示」に設定されている場合に、シークレット登録された端末から文字メールを受信したときの表示例を示したものである。このように、図３では発信者の名前は表示されるがその内容は表示されない。なお、発信者の名前も表示したくない場合には、文字メールを受信したことのみを表示するように設定することも可能である。
【００２４】
表示部２０が図３の表示状態のときにあらかじめ決められているメッセージ内容を表示する所定のキー操作を行うと、受信した文字メッセージの内容が表示部２０に表示される（１１０）。図４は所定のキー操作を行った後の表示部２０の表示例を示したものである。図４に示すように「スコシオクレル」の文字メッセージと、電子電話帳に登録された電話番号に対応する名前「Ｓ．サクライ」が表示される。また、「受信時非表示」に設定されている場合に、通話キー等の所定のキー操作以外のキー操作が行われても受信した文字メッセージの内容を表示することはできない（１１２）。
【００２５】
図５は表示シークレットをオンにする「受信時非表示」の設定手順の一例を表示部２０に表示される画面により示したものであり、また図６はＰＨＳ端末１０の特にキー操作部の一例を示した正面図である。図５および図６を用いて表示シークレットをオンにする「受信時非表示」の設定手順を説明する。
【００２６】
ＰＨＳ端末１０の電源がオンされている画面４００の待機状態でＰメールキー２２ａが押下されると、画面４０２が表示部２０に表示される。この状態でＦキー２２ｂが押下されると、画面４０４が表示部２０に表示される。この状態でさらに数キー「４」が押下されると、画面４０６に示すように一行目に「表示シークレット」、２，３行目に「ＯＦＦ」，「ＯＮ」と表示される。
【００２７】
次に、▲キー２２ｃまたは▼キー２２ｄを用いて「ＯＮ」を選択し、この状態を確定するために選択キー２２ｅを押下する。これにより、画面４０８に示すように「表示シークレット  ＯＮ  設定しました」と表示され、約１秒後に待機状態である画面４００に戻る。このような手順により表示シークレットをオンにする。
【００２８】
また、表示シークレットがオンされてシークレット登録された相手より文字メッセージを受信した図３に示した表示状態のときに、図４に示した文字メッセージを表示するには、Ｐメールキー２２ａを押下した後に数字キー「８」を押下する。なお、本実施の形態ではこのようにシークレット登録された文字メッセージ表示する所定のキー操作を、Ｐメールキー２２ａと数字キー「８」の組み合わせにより行ったが、セキュリティのガードをさらに強くする場合には例えばＰメールキー２２ａと暗証番号とを組み合わせてもよい。
【００２９】
以上、本発明による電話機をＰＨＳ端末に適用したときの実施の形態を説明したが、本発明は特にＰＨＳ端末に限定されるものでは無く、文字メール機能を備えた電話機であれば適用可能である。すなわち、例えば携帯電話機や固定型の電話機であっても文字メール機能を備えた電話機であれば適用することができる。
【００３０】
【発明の効果】
このように本発明の電話機によれば、受信する文字メールに関してもセキュリティをかけることができる。したがって、安心して文字メールのやりとりを行うことが可能となる。
【図面の簡単な説明】
【図１】本発明による電話機による文字メッセージの表示処理の概要を示す動作フローの実施の形態を示す動作シーケンス図。
【図２】図２は本発明による電話機をＰＨＳ端末に適用したときの実施の形態を示す機能ブロック図。
【図３】「受信時非表示」に設定されている場合にシークレット登録された端末から文字メールを受信したときの表示例。
【図４】図３の表示状態のときに文字メッセージの内容を表示する所定のキー操作を行った後の表示部２０の表示例。
【図５】表示シークレットをオンにする「受信時非表示」の設定手順の一例を示した説明図。
【図６】図２に示したＰＨＳ端末１０の特にキー操作部の一例を示した正面図。
【符号の説明】
１４    ＲＦ部
１６    ベースバンド部
１８    ＣＰＵ
１８ａ  ＲＯＭ
１８ｂ  ＲＡＭ
２０    表示部
２２    キー入力部
２８    コーデック
３０    ＤＴＭＦレシーバ
【図１】
0003542494.tif 000002
【図２】
0003542494.tif 000003
【図３】
0003542494.tif 000004
【図４】
0003542494.tif 000005
【図５】
0003542494.tif 000006
【図６】
0003542494.tif 000007